(57)【要約】      （修正有）【課題】支柱が屈曲可能であるとともに、支柱の屈曲状態と垂直状態との切り替えが容易な傘を提供する。【解決手段】(a) 支柱１を中空の外支柱1aと、内支柱1bとからなる二重構造とし、(b) 外支柱1aを上部外支柱10aと中間外支柱11bと下部外支柱12aとから構成するとともに、垂直な状態からの屈曲に関して、下部外支柱12aに対する中間外支柱11aの屈曲方向と、中間外支柱11aに対する上部外支柱10aの屈曲方向とが逆となる構造とし、(c) 内支柱１bをほぼ同一平面上で互いに屈曲可能な上部内支柱10bと中間内支柱11bと下部内支柱12bとから構成し、(d) 内支柱1bが垂直な時には外支柱1aは屈曲できず、内支柱1bの少なくとも一部が外支柱1a内を摺動した時に、内支柱1bと外支柱1aが同時に屈曲することができるように設定し、(e) 内支柱1bが圧縮コイルスプリング13により下方に付勢され、弾性係止手段21により係止され、かつ柄２の下端部と当接係止されるようにした構成とした傘。【選択図】図４
2005137450.tif 000002
【特許請求の範囲】
【請求項１】
少なくとも(a) 支柱と、(b) 前記支柱の下端部に取り付けられた柄と、(c) 前記支柱の上端部に設けられた親骨ろくろにそれぞれの一端を枢着した複数の親骨と、(d) 前記親骨の中間部にそれぞれの一端が枢着されるとともに、他端が前記支柱の軸線方向に摺動する受け骨ろくろに枢着された受け骨と、(e) 前記受け骨ろくろよりも下側に位置し、前記支柱の軸線方向に摺動する駒と，(f) 前記親骨の外側に張られた張布とを有する傘において、前記支柱は、下端部が前記柄に挿着された中空の外支柱と、前記外支柱に挿着された内支柱とを有し、
(A) 前記外支柱は、上から順に屈曲軸により連結された上部外支柱と中間外支柱と下部外支柱とからなり、上部外支柱と中間外支柱を連結する上部屈曲軸から水平方向に開口する上部切欠部、及び中間外支柱と下部外支柱を連結する下部屈曲軸から前記上部切欠部と反対方向に開口する下部切欠部を有し、
(B) 前記内支柱は、上から順に枢着されてほぼ同一平面上で互いに屈曲可能な上部内支柱と中間内支柱と下部内支柱とからなり、(a) 前記上部内支柱は、(i) 上端部が前記上部屈曲軸と平行な軸により前記上部外支柱に枢着されており、(ii) 前記上部内支柱と前記中間内支柱を枢着する軸が前記中間外支柱の軸線方向に摺動自在に且つ前記上部屈曲軸と平行に支持されており、且つ(iii) 前記外支柱の前記上部切欠部が開口する側面から出入可能であり、(b) 前記中間内支柱と前記下部内支柱を枢着する軸は前記中間外支柱内の下端部において前記中間外支柱の軸線方向に沿って移動可能であり、(c) 前記下部内支柱は、(i) 下部が前記柄に挿入されて前記柄の軸線方向に沿って摺動自在であり、(ii) 前記柄の内部で上端位置が固定された圧縮コイルスプリングにより下方に付勢されており、且つ(iii) 前記柄の側面に設けられた弾性係止手段により係止可能であるとともに、下端部が前記柄の下端部により当接係止可能であり、
前記弾性係止手段を解除すると、前記圧縮コイルスプリングの伸長により、前記下部内支柱が前記下部外支柱に対して下方へ移動して前記柄の下端部に当接することにより係止されるとともに、前記中間内支柱と前記下部内支柱を枢着する軸が前記下部屈曲軸とほぼ同じ垂直位置に移動し、前記上部内支柱と前記中間内支柱を枢着する軸が前記中間外支柱の下端方向へ移動することにより、前記上部外支柱と前記下部外支柱がほぼ平行となるように前記支柱が屈曲した状態となることを特徴とする傘。
【発明の詳細な説明】
【技術分野】
【０００１】
本発明は、支柱が屈曲可能であるとともに、支柱の屈曲状態と垂直状態との切り替えが容易な傘に関し、特に傘の中心の下部に身体が入る傘に関する。
【背景技術】
【０００２】
一般的な傘は垂直な支柱を有し、開いた時に片手で持って使用するため、傘の中心軸が体の中心軸からずれている。そのため傘から身体がはみ出し、衣服の肩口が濡れてしまうことが多い。このため身体が傘の中心に入るように、傘の支柱が屈曲可能であれば大変便利である。
【０００３】
例えば特開2000-201711号（特許文献１）は、図12に示すように、傘を開いた時に、親骨４の一部を兼ねる支柱１の上部14が屈曲するとともに、受け骨６と親骨４を連結する各支持点41が支柱１を中心として略扇形となるように各受け骨６の長さが設定されており、かつ各支持点41と親骨４の集合軸点42までの長さを、受け骨６の長さが短い順番で長くした傘を提案している。これにより傘を開いた時に、傘の中心が支柱１の軸線方向からずれるので、傘の中心の下部に身体を入れることができる。
【０００４】
【特許文献１】特開2000-201711号
【発明の開示】
【発明が解決しようとする課題】
【０００５】
しかし特許文献１の傘は、開閉時に、親骨４の軸線方向に沿わないねじれ力が各支持点41に掛かり、さらに各受け骨６がその軸線方向に伸縮する必要がある。このため特許文献１の傘は、各支持点41が親骨４に沿って移動できる機構を備えるが、各受け骨６を伸縮する機構を有さないため、円滑に開閉するのは困難であった。また特許文献１の傘は開くと同時に支柱が屈曲するが、必要に応じて支柱を垂直にした状態と屈曲させた状態の両方で使用可能であるのが便利である。
【０００６】
従って、本発明の目的は、支柱が屈曲可能であるとともに、支柱の屈曲状態と垂直状態との切り替えが容易な傘を提供することである。
【課題を解決するための手段】
【０００７】
上記目的に鑑み鋭意研究の結果、本発明者は、(a) 支柱を中空の外支柱と、外支柱に挿着された内支柱とからなる二重構造とし、(b) 外支柱を上から順に屈曲軸により連結された上部外支柱と中間外支柱と下部外支柱とから構成するとともに、垂直な状態からの屈曲に関して、下部外支柱に対する中間外支柱の屈曲方向と、中間外支柱に対する上部外支柱の屈曲方向とが逆となる構造とし、(c) 内支柱を上から順に枢着されてほぼ同一平面上で互いに屈曲可能な上部内支柱と中間内支柱と下部内支柱とから構成し、(d) 内支柱が垂直な時には外支柱は屈曲できず、内支柱の一部が外支柱から露出するとともに、内支柱の少なくとも一部が外支柱内を摺動した時に、内支柱と外支柱が同時に屈曲することができるように、内支柱及び外支柱の各屈曲軸の位置を設定し、(e) 内支柱が柄内に設けられた圧縮コイルスプリングにより下方に付勢されるとともに、柄に設けられた弾性係止手段により係止され、かつ柄の下端部と当接係止されるようにした構成とすることにより、支柱が屈曲可能であるとともに、支柱の屈曲状態と垂直状態との切り替えが容易な傘が得られることを発見し、本発明に想到した。
【０００８】
すなわち、本発明の傘は、少なくとも(a) 支柱と、(b) 前記支柱の下端部に取り付けられた柄と、(c) 前記支柱の上端部に設けられた親骨ろくろにそれぞれの一端を枢着した複数の親骨と、(d) 前記親骨の中間部にそれぞれの一端が枢着されるとともに、他端が前記支柱の軸線方向に摺動する受け骨ろくろに枢着された受け骨と、(e) 前記受け骨ろくろよりも下側に位置し、前記支柱の軸線方向に摺動する駒と，(f) 前記親骨の外側に張られた張布とを有する傘において、前記支柱は、下端部が前記柄に挿着された中空の外支柱と、前記外支柱に挿着された内支柱とを有し、(A) 前記外支柱は、上から順に屈曲軸により連結された上部外支柱と中間外支柱と下部外支柱とからなり、上部外支柱と中間外支柱を連結する上部屈曲軸から水平方向に開口する上部切欠部、及び中間外支柱と下部外支柱を連結する下部屈曲軸から前記上部切欠部と反対方向に開口する下部切欠部を有し、(B) 前記内支柱は、上から順に枢着されてほぼ同一平面上で互いに屈曲可能な上部内支柱と中間内支柱と下部内支柱とからなり、(a) 前記上部内支柱は、(i) 上端部が前記上部屈曲軸と平行な軸により前記上部外支柱に枢着されており、(ii) 前記上部内支柱と前記中間内支柱を枢着する軸が前記中間外支柱の軸線方向に摺動自在に且つ前記上部屈曲軸と平行に支持されており、且つ(iii) 前記外支柱の前記上部切欠部が開口する側面から出入可能であり、(b) 前記中間内支柱と前記下部内支柱を枢着する軸は前記中間外支柱内の下端部において前記中間外支柱の軸線方向に沿って移動可能であり、(c) 前記下部内支柱は、(i) 下部が前記柄に挿入されて前記柄の軸線方向に沿って摺動自在であり、(ii) 前記柄の内部で上端位置が固定された圧縮コイルスプリングにより下方に付勢されており、且つ(iii) 前記柄の側面に設けられた弾性係止手段により係止可能であるとともに、下端部が前記柄の下端部と当接係止可能であり、前記弾性係止手段を解除すると、前記圧縮コイルスプリングの伸長により、前記下部内支柱が前記下部外支柱に対して下方へ移動して前記柄の下端部に当接することにより係止されるとともに、前記中間内支柱と前記下部内支柱を枢着する軸が前記下部屈曲軸とほぼ同じ垂直位置に移動し、前記上部内支柱と前記中間内支柱を枢着する軸が前記中間外支柱の下端方向へ移動することにより、前記上部外支柱と前記下部外支柱がほぼ平行となるように前記支柱が屈曲した状態となることを特徴とする。
【発明の効果】
【０００９】
本発明の傘は、(a) 支柱を中空の外支柱と、外支柱に挿着された内支柱とからなる二重構造とし、(b) 外支柱を上から順に屈曲軸により連結された上部外支柱と中間外支柱と下部外支柱とから構成するとともに、垂直な状態からの屈曲に関して、下部外支柱に対する中間外支柱の屈曲方向と、中間外支柱に対する上部外支柱の屈曲方向とが逆となる構造とし、(c) 内支柱を上から順に枢着されてほぼ同一平面上で互いに屈曲可能な上部内支柱と中間内支柱と下部内支柱とから構成し、(d) 内支柱が垂直な時には外支柱は屈曲できず、内支柱の一部が外支柱から露出するとともに、内支柱の少なくとも一部が外支柱内を摺動した時に、内支柱と外支柱が同時に屈曲することができるように、内支柱及び外支柱の各屈曲軸の位置を設定し、(e) 内支柱が柄内に設けられた圧縮コイルスプリングにより下方に付勢されるとともに、柄に設けられた弾性係止手段により係止され、かつ柄の下端部と当接係止されるようにした構成としているので、上部外支柱と下部外支柱がほぼ平行となるように支柱が屈曲した状態とすることができ、かつ支柱の屈曲状態と垂直状態との切り替えが容易である。このような特徴を有する本発明の傘は、その中心の下部に身体を入れることができる。
【発明を実施するための最良の形態】
【００１０】
[1] 傘
図１に示すように、本発明の傘は、少なくとも(a) 外支柱1aと内支柱1bとからなる支柱１と、(b) 支柱１の下端部に取り付けられた柄２と、(c) 支柱１の上端部に設けられた親骨ろくろ３にそれぞれの一端を枢着した複数の親骨４と、(d) 親骨４の中間部にそれぞれの一端が枢着されるとともに、他端が支柱１の軸線方向に摺動する受け骨ろくろ５に枢着された受け骨６と、(e) 受け骨ろくろ５よりも下側に位置し、支柱１の軸線方向に摺動する駒７と，(f) 親骨４の外側に張られた張布８とを有する。
【００１１】
(1) 支柱
(i) 外支柱
図２は本発明の傘の支柱１の外観を示し、図３は支柱１の内部を示す。図２及び図３に示すように、支柱１は、中空で均一な太さの外支柱1aと、外支柱1aに挿着された内支柱1bとからなり、外支柱1aの下端部が柄２に挿着されている。
【００１２】
図４に示すように、外支柱1aは、傘を全開した時に摺動駒７より下側となる位置に設けられた上部屈曲軸100と、柄２の上端近傍に設けられた下部屈曲軸101とを有し、上部屈曲軸100及び下部屈曲軸101により相互に連結された上部外支柱10a、中間外支柱11a及び下部外支柱12aを有する。上部屈曲軸100と下部屈曲軸101は互いに平行に設けられている。上部外支柱10a及び中間外支柱11aの連結部には、上部屈曲軸100から水平方向に開口する略V字型の上部切欠部102が設けられているので、上部外支柱10a及び中間外支柱11aは、互いに垂直な状態から、上部切欠部102が設けられた側にのみ屈曲可能である。中間外支柱11a及び下部外支柱12aの連結部には、下部屈曲軸101から上部切欠部102と反対方向に開口する略V字型の下部切欠部103が設けられているので、中間外支柱11a及び下部外支柱12aは、互いに垂直な状態から、下部切欠部103が設けられた側にのみ屈曲可能であり、且つ上部外支柱10a、中間外支柱11a及び下部外支柱12aは、下部外支柱12aに対する中間外支柱11aの屈曲方向と、中間外支柱11aに対する上部外支柱10aの屈曲方向とが逆となるように、ほぼ同一平面上で互いに屈曲可能である。
【００１３】
上部屈曲軸100の構造を構成する手段に特に制限はないが、図４に示すように、上部外支柱10a及び中間外支柱11aを連結する蝶番104を用いるのが好ましい。下部屈曲軸101の構造を構成する手段に特に制限はないが、図４に示す例では、中間外支柱11aと下部外支柱12aが重なる部分を設け、かかる重なり部に設けた孔にピン101'を貫通させている。なお下部外支柱12aには、摺動駒７を係合させる弾性ロック手段を設けるのが好ましい。
【００１４】
図２〜図４に示す外支柱1aは角柱材で構成されているが、角柱材に制限されるものではなく、円柱材によっても構成することができる。
【００１５】
(ii) 内支柱
図４に示すように、内支柱1bは、それぞれの端部で相互に枢着された上部内支柱10b、中間内支柱11b及び下部内支柱12bからなる。上部内支柱10bと中間内支柱11bを枢着する軸105、及び中間内支柱11b及び下部内支柱12bを枢着する軸106は互いに平行となるように設けられているので、上部内支柱10b、中間内支柱11b及び下部内支柱12bは、ほぼ同一平面上で互いに屈曲可能である。
【００１６】
中間内支柱11bは中間内支柱本体110bと、中間内支柱本体110b及び下部内支柱12bを接続する部材111bとからなる。接続部材111bは上部が中間内支柱本体110bに挿着され、下部に下部内支柱12bが枢着されている。図５に示すように、中間内支柱本体110bには、上部内支柱10bを挟んだ状態で枢着するためのスリット107が設けられている。中間内支柱本体110bには、これを中間外支柱11a内で円滑に移動させる摺動部材108が設けられている。
【００１７】
図４に示すように、下部内支柱12bは、下部内支柱本体120bと、柄２の側面に設けられた弾性係止手段21により係止される部材122bと、これらを接続する円柱状の部材121bとからなる。円柱状接続部材121bは上部が下部内支柱本体120bに挿着され、下部に係止部材122bが装着されている。図６に示すように、下部内支柱本体120bには、中間内支柱11bの下部内支柱12bに対する回動を可能にするためのスリット130,130が設けられている。下部内支柱本体120bには、下部外支柱12aを柄２に固定するビスを貫通させるためのスリット131が設けられている。下部内支柱本体120bの上端面132は、支柱１の屈曲変形が固定された時に、中間外支柱11aの軸線方向と平行となるようにカットされているのが好ましい。下部内支柱本体120bには、これを下部外支柱12a内で円滑に移動させる摺動部材108が設けられている。
【００１８】
図７に示すように、係止部材122bには、スリット133が設けられており、スリット133の上端の段部134と、弾性係止手段21の爪部210とが係止できるようになっている。円柱状連結部材121bは、下端部を角柱状に加工し、係止部材122bに固定された枡状の部材135と係合させた上で、係止部材122bにピン等により固定するのが好ましい。
【００１９】
(iii) 支柱の構成
図３及び図４に示すように、上部内支柱10bは、その上端部が上部屈曲軸100と平行な軸136により上部外支柱10aに枢着されている。上部内支柱10bと中間内支柱11bを枢着する軸105は、中間外支柱11aの軸線方向に設けられたスリット137に沿って摺動自在に、かつ上部屈曲軸100と平行に支持されている。内支柱1bのうち中間内支柱11bから下の部分は、中間内支柱11bが中間外支柱11a内に挿入され、中間内支柱11bと下部内支柱12bの連結部が中間外支柱11aの下端部に挿入され、下部内支柱12bのうち下部外支柱12aから露出した部分が柄２に挿入されている。
【００２０】
図８に示すように、上部外支柱10a及び中間外支柱11aの上部切欠部102が開口している側面には、軸105の移動時に上部内支柱10bの外支柱1aに対する出入りを可能にするスリット138,138が設けられている。このため上部外支柱10a及び中間外支柱11aの屈曲状態と垂直状態の切り替わりは、軸105の移動に伴い、上部内支柱10bがスリット138,138から出入りすることによって起こる。
【００２１】
図９に示すように、下部外支柱12aには、外支柱1aの断面に関して下部切欠部103とほぼ対向する側面に、中間内支柱11bの下端部の下部外支柱12aに対する出入りを可能にするスリット143が設けられている。このため軸105の移動に伴って、中間内支柱11bと下部内支柱12bを連結する軸106が中間外支柱11aの軸線方向に沿って移動し、中間外支柱11a及び下部外支柱12aの屈曲状態及び垂直状態が切り替わる。
【００２２】
(iv) 係止機構
図７に示すように、係止部材122bには、スリット133が設けられており、スリット133の上端の段部134と、弾性係止手段21の爪部210とが係止できるようになっている。図３及び図４に示すように、柄２の内部には、上端が下部外支柱12aの下面に当接し、下端が係止部材122bの上面に当接し、下部内支柱12bを下方に付勢する圧縮コイルスプリング13が設けられているので、弾性係止手段21を解除すると、下部内支柱12bは柄２に対して下方に移動する。下部内支柱12bは、係止部材122bの下面139が柄２の下部内壁面140と当接することにより係止される。係止部材122bの下端には、柄２の底部に設けられた貫通孔141から突出可能な円筒状の突起部142が設けられており、円筒状突起部142を押し上げることにより、係止部材122bの下面が柄２の下部内壁面140と当接係止した状態（支柱１が屈曲した状態）から、スリット133の上端の段部134と、弾性係止手段21の爪部210とが係止した状態（支柱１が垂直である状態）に戻すことができる。必要に応じて、円筒状突起部142の下端に、球状の取っ手等を設けてもよい。なお弾性係止手段21としては、図４に示すように、爪部210と、柄２の側面貫通孔から外方に突出するボタン部211とを有し、柄２の側面に固定可能な板ばねが好ましい。
【００２３】
(v) 材質
支柱１及び柄２を構成する各部材の材質に特に制限はないが、例えばSUS304等の非磁性ステンレススチール、アルミニウム等を挙げることができる。
【００２４】
(vi) その他の部材
上述した支柱１及び柄２以外のその他の部材、すなわち親骨ろくろ３、親骨４、受け骨ろくろ５、受け骨６、摺動駒７、張布８等に関しては特に制限はなく、公知のものを使用することができる。但し外支柱1aが、上述のような正方形状断面の角柱材により構成される場合、親骨ろくろ３、受け骨ろくろ５、及び摺動駒７の貫通孔断面を正方形状とする。また図１に示すように、受け骨ろくろ５と摺動駒７の間にスプリングを設け、自動開式とすることもできる。
【００２５】
(vii) その他の実施態様
例えば図11に示すように、中間外支柱11a及び下部外支柱12aの連結部における下部切欠部103の近傍に、上下の磁極を同じ向きに固定した磁石144，144を設けてもよい。これにより中間外支柱11a及び下部外支柱12aが、下部切欠部103において引き付け合うので、支柱１の屈曲変形を一層円滑にできるだけでなく、支柱１が屈曲変形した状態を安定化できる。
【００２６】
[2] 操作方法及び動作
本発明の傘の操作方法及び動作について説明する。傘を閉じている時には、図３に示すように、スリット133の上端の段部134と、弾性係止手段21の爪部210とを係止させ、支柱１を垂直な状態にしておく。まず自動又は手動により摺動駒７を支柱１上部まで摺動させて傘を全開にする。次いで、弾性係止手段21のボタン部211を押し、スリットの上端の段部134と、弾性係止手段21の爪部210との係止を解除すると、図10に示すように、圧縮コイルスプリング13の伸長により下部内支柱12bが下部外支柱12aに対して下方へ移動し、それと同時に上部内支柱10bと中間内支柱11bとを枢着する軸105が中間外支柱11aの下端方向へ移動し、中間内支柱11bと下部内支柱12bを枢着する軸106が下部屈曲軸101とほぼ同じ垂直位置に移動することにより、上部外支柱10aと下部外支柱12aがほぼ平行を保持しながら支柱１が屈曲変形し、さらに係止部材122bの下面139が柄２の下部内壁面140と当接係止することにより、支柱１の屈曲が固定される。
【００２７】
傘を閉じる際には、中間外支柱11aを垂直に戻すと同時に、又は中間外支柱11aを垂直に戻した後に、突出部142を押し上げると、支柱１が屈曲変形する時と逆の動作により支柱１が垂直に戻るとともに、スリット133の上端の段部134と、弾性係止手段21の爪部210とを係止させた状態にすることができる。次いで摺動駒７を支柱１下部まで摺動させる。
【００２８】
[3] 組立て手順
本発明の傘を組立てる手順について説明する。例えば、まず上部外支柱10aに中間外支柱11aを枢着するとともに、中間外支柱11aに下部外支柱12aを枢着し、外支柱1aを組立てる。次に中間内支柱本体110bに接続部材111bを挿着し、中間内支柱11bを組立てる。次いで下部内支柱本体120bに円柱状接続部材121bを挿着し、円柱状接続部材121bに圧縮スプリング13を装着し、固定部材135を介して円柱状接続部材121bを係止部材122bに挿着し、下部内支柱12bを組立てる。下部内支柱12bに中間内支柱11bをピン等により枢着し、枢着した下部内支柱12b及び中間内支柱11bとともに上部内支柱10bを外支柱1aに挿入し、上部内支柱10bの上端部を上部外支柱10aにピン等により枢着し、上部外支柱10aのスリット137を通して、上部内支柱10bと中間内支柱11bをピン等により枢着する。次いで一体とした外支柱1a及び内支柱1bを、下端から柄２に挿入し、下部外支柱12aをビスにより柄２に固定する。この時、下部外支柱12aを柄２に固定するビスが下部内支柱12bのスリット131を通るようにする。次いで、親骨ろくろ３、親骨４、受け骨ろくろ５、受け骨６、摺動駒７、張布８を装着することにより本発明の傘が得られる。
【００２９】
以上の通り、図面を参照して本発明を説明したが、本発明はそれらに限定されず本発明の趣旨を変更しない限り種々の変更を加えることができる。
【図面の簡単な説明】
【００３０】
【図１】本発明の傘を示す部分断面概略図である。
【図２】本発明の傘の支柱の一側面を示す概略図である。
【図３】本発明の傘の支柱の一側面を示す部分断面概略図である。
【図４】本発明の傘の外支柱及び内支柱の一側面を示す概略図である。
【図５】本発明の傘の中間内支柱本体を示す斜視図である。
【図６】本発明の傘の下部内支柱本体を示す斜視図である。
【図７】本発明の傘の係止部材を示す斜視図である。
【図８】本発明の傘の上部外支柱と中間外支柱を示す斜視図である。
【図９】本発明の傘の中間外支柱と下部外支柱を示す斜視図である。
【図１０】本発明の傘の支柱が屈曲した状態を示す部分断面概略図である。
【図１１】本発明の傘の中間外支柱及び下部外支柱の連結部の別の例を示す概略図である。
【図１２】特許文献１の傘を示す概略図である。
【符号の説明】
【００３１】
１・・・支柱
1a・・・外支柱
10a・・・上部外支柱
11b・・・中間外支柱
12b・・・下部外支柱
1b・・・内支柱
10b・・・上部内支柱
11b・・・中間内支柱
110b・・・中間内支柱本体
111b・・・接続部材
12b・・・下部内支柱
120b・・・下部内支柱本体
121b・・・円柱状接続部材
122b・・・係止部材
13・・・圧縮コイルスプリング
14・・・屈曲した支柱の上部
100・・・上部屈曲軸
101・・・下部屈曲軸
101'・・・ピン
102・・・上部切欠部
103・・・下部切欠部
104・・・蝶番
105・・・上部内支柱及び中間内支柱を枢着する軸
106・・・中間内支柱及び下部内支柱を枢着する軸
107・・・スリット
108・・・摺動部材
130・・・スリット
131・・・スリット
132・・・上端面
133・・・スリット
134・・・スリットの段部
135・・・固定部材
136・・・上部外支柱に上部内支柱を枢着する軸
137・・・スリット
138・・・スリット
139・・・係止部材の下面
140・・・柄の下部内壁面
141・・・柄の底部貫通孔
142・・・係止部材の突起部
143・・・スリット
144・・・磁石
２・・・柄
21・・・弾性係止手段
210・・・爪部
３・・・親骨ろくろ
４・・・親骨
41・・・支持点
42・・・親骨の集合軸点
５・・・受け骨ろくろ
６・・・受け骨
７・・・摺動駒
８・・・張布
【図１】
2005137450.tif 000003
【図２】
2005137450.tif 000004
【図３】
2005137450.tif 000005
【図４】
2005137450.tif 000006
【図５】
2005137450.tif 000007
【図６】
2005137450.tif 000008
【図７】
2005137450.tif 000009
【図８】
2005137450.tif 000010
【図９】
2005137450.tif 000011
【図１０】
2005137450.tif 000012
【図１１】
2005137450.tif 000013
【図１２】
2005137450.tif 000014